(57)【要約】【課題】電子基板を高精度で位置決め可能であるとともに作業効率に優れた電子基板の仮固定用治具を提供する。【解決手段】本発明の電子基板２の仮固定用治具１０は、コアシート６の開口部６ａに電子基板２を仮固定するための電子基板の仮固定用治具であって、前記コアシート６及び電子基板２が載置される基体１１と、前記基体１１を下方から支持する基部３０と、を具備し、前記基部３０には、前記コアシート６を位置決めするための第１の支持体１５と、前記電子基板２を前記開口部６ａに位置決めするための第２の支持体１７と、を備え、前記基体１１には、前記第１及び第２の支持体１５、１７を挿入可能な貫通孔が形成され、前記貫通孔を介して当該第１及び第２の支持体１５、１７が前記基体１１の表面から突出して配置されており、前記基部３０は、前記基体１１から離反する方向に移動可能である。【選択図】図４
2013208778.tif 000002
【特許請求の範囲】
【請求項１】
コアシートの開口部に電子基板を仮固定するための電子基板の仮固定用治具であって、
前記コアシート及び電子基板が載置される平面部を有する基体と、
前記基体を下方から支持する基部と、を具備し、
前記基部には、前記コアシートを位置決めするための第１の支持体と、前記電子基板を前記開口部に位置決めするための第２の支持体と、を備え、
前記基体には、前記第１及び第２の支持体を挿入可能な貫通孔が形成され、前記貫通孔を介して当該第１及び第２の支持体が前記基体の表面から突出して配置されており、
前記基部は、前記基体から離反する方向に移動可能であることを特徴とする電子基板の仮固定用治具。
【請求項２】
前記第１の支持体は、当該コアシートの底辺、及びコアシートの一方の側部辺を支持し、
前記第２の支持体は、予め電子基板に形成されている複数の孔部に挿入されて、当該電子基板が前記コアシートの開口部に位置決めされることを特徴とする請求項１に記載の電子基板の仮固定用治具。
【発明の詳細な説明】
【技術分野】
【０００１】
本発明は電子基板の仮固定用治具に関し、特に、コアシートに形成された開口部に電子基板を一時的に仮固定する電子基板の仮固定用治具に関する。
【背景技術】
【０００２】
一般に電子基板を内蔵するＩＣカードが知られている。この種のＩＣカードは、基材となるコアシートの予め形成された開口部に電子基板を仮固定し、当該電子基板を含むコアシートの表裏にオーバーシートを接着剤等によりコーティングして製造される（特許文献１参照）。
【先行技術文献】
【特許文献】
【０００３】
【特許文献１】特願２００９−５１５８１４号公報
【発明の概要】
【発明が解決しようとする課題】
【０００４】
上記特許文献１に示す電子基板の仮固定手法では、コアシートと電子基板を手作業で位置決めして仮固定するため、高精度での仮固定が困難であるとともに、ユーザの負担増と生産性の低下が懸念される。
【０００５】
本発明は、このような問題の解消を一つの課題とし、その目的の一例は、電子基板を高精度で位置決め可能であるとともに作業効率に優れた電子基板の仮固定用治具を提供するものである。
【課題を解決するための手段】
【０００６】
上記課題を解決するため、請求項１に記載の電子基板（２）の仮固定用治具（１０）は、コアシート（６）の開口部（６ａ）に電子基板を仮固定するための電子基板の仮固定用治具であって、前記コアシート及び電子基板が載置される平面部（１１ａ）を有する基体（１１）と、前記基体を下方から支持する基部（３０）と、を具備し、前記基部には、前記コアシートを位置決めするための第１の支持体（１５）と、前記電子基板を前記開口部に位置決めするための第２の支持体（１７）と、を備え、前記基体には、前記第１及び第２の支持体を挿入可能な貫通孔が形成され、前記貫通孔を介して当該第１及び第２の支持体が前記基体の表面から突出して配置されており、前記基部は、前記基体から離反する方向に移動可能であることを特徴とする。
【０００７】
また、請求項２に記載の電子基板の仮固定用治具は、請求項１に記載の電子基板の仮固定用治具において、前記第１の支持体は、当該コアシートの底辺、及びコアシートの一方の側部辺を支持し、前記第２の支持体は、予め電子基板に形成されている複数の孔部に挿入されて、当該電子基板が前記コアシートの開口部に位置決めされることを特徴とする。
【発明の効果】
【０００８】
本発明によれば、電子基板を迅速、且つ高精度で配列してコアシートに仮固定可能であるとともに、作業効率を容易に高めることができる。
【図面の簡単な説明】
【０００９】
【図１】ＩＣカードの一例を示し、図１（ａ）は平面図、図１（ｂ）は断面図である。
【図２】電子基板の仮固定用治具を用いて電子基板をコアシートに仮固定した際の平面図である。
【図３】電子基板の仮固定用治具の平面図である。
【図４】電子基板の仮固定用治具の動作例を説明するための模式図である。
【図５】電子基板の仮固定用治具の動作例を説明するための模式図である。
【図６】電子基板をコアシートに仮固定する一連の動作を説明するための図であって、図６（ａ）は電子基板の仮固定用治具を示す平面図、図６（ｂ）は電子基板の仮固定用治具にコアシートを位置決めした状態を示す平面図、図６（ｃ）はコアシートの開口部に電子基板を位置決めした状態を示す平面図、図６（ｄ）はコアシートの開口部に電子基板を仮固定した状態を示す平面図である。
【図７】コアシートの開口部に電子基板を仮固定した状態を示す正面から視認した場合の模式図である。
【発明を実施するための形態】
【００１０】
以下、図面を参照して本発明の実施形態について説明する。
【００１１】
まず、本実施形態の電子基板２の仮固定方法を用いて製造されるＩＣカードについて説明する。このＩＣカード５は、電子基板２が内蔵されたＩＣカード５であって、例えば、ワンタイムパスワードの発行に用いられるＩＣカードである。図１（ａ）に示すように、暗証番号を表示する表示部５ａと、ユーザが操作する押しボタンスイッチ等を有する操作部５ｂと、備えている。そして、ユーザが操作部５ａを操作することによって、表示部５ａに複数桁の数字（パスワード）が表示されるようになっている。
【００１２】
このＩＣカード５は、図１（ｂ）に示すように、基材となるコアシート６の一部に開口部６ａが形成され、その開口部６ａに電子基板２が仮固定された後に、電子基板２を含むコアシート６の表裏にオーバーシート７、７が接着剤等により貼り付けられて製造される。
【００１３】
以下に説明する電子基板２の仮固定方法は、ＩＣカード５を製造する途中工程において、コアシート６の開口部６ａに電子基板２を仮固定する手法であり、具体的には、仮固定用治具１０を用いてコアシート６の開口部６ａに電子基板２を位置決めして一時的に仮固定する手法である。
【００１４】
電子基板２の仮固定方法は、図２に示すように、仮固定用治具１０を用いて行われる。具体的には、作業員によって仮固定用治具１０にコアシート６が位置決めされた後、当該コアシート６の開口部６ａに電子基板２が位置決めされ、電子基板２とコアシート６とがテープ等の連結部材９で仮固定される。
【００１５】
なお、本実施形態の電子基板２は、略Ｌ字状に形成されているが、特にこのような形状に限定されるものではなく、例えば、矩形状若しくは多角形状であっても構わない。この場合において、コアシート６の開口部６ａは、電子基板２の形状に合わせて予め形成される。
【００１６】
（固定用治具の構成）
図３乃至図５に示すように、電子基板２の仮固定用治具１０は、コアシート６及び電子基板２が載置される表面に平面部１１ａを有する載置体１１と、当該載置体１１を下方から支持する基台３０と、を備える。
【００１７】
図３に示すように、載置体１１の表面には、コアシート６を配置するためのコアシート配置領域２５を有しており、このコアシート配置領域２５に隣接する周囲にはコアシート６を位置決めするためのピン状の突起体１５（本願の第１の支持体）を下方から挿入するための挿入孔１１ｂが形成されている。
【００１８】
また、載置体１１の表面には、当該コアシート６に形成された開口部６ａに電子基板２を位置決めするためのピン状の突起体１７（本願の第２の支持体）を下方から挿入するための挿入孔１１ｃが形成されている。
【００１９】
そして、ユーザによって、コアシート６が第１の支持体として機能する突起体１５が載置体１１の表面から突出して配置された突起体１５に係止されることで、当該コアシート６がコアシート配置領域２５に位置決めされる（図３参照）。一方、ユーザによって、電子基板２が第２の支持体として機能する突起体１７に係止されることで、当該電子基板２がコアシート６の開口部６ａに位置決めされる（図３参照）。
【００２０】
図４及び図５に示すように、基台３０は、台座３１と、この台座３１の上方に配置される移動体３３と、を備え、当該移動体３３は、台座３１にスライド機構部３５を介して上下方向に移動可能に取り付けられる。移動体３３には、前記コアシート６を位置決めするための突起体１５と、電子基板２を位置決めするための突起体１７と、前記移動体３３を操作するための取手１９、１９と、を備えている。
【００２１】
突起体１５、１７は、載置体１１の表面から鉛直方向上方に突出する円形状のピンであって、一方の突起体１５は、載置体１１のコアシート配置領域２５の底辺の両側２箇所と左側の側部辺の外側１箇所に隣接して取り付けられている。他方の突起体１７は、当該コアシート６の開口部６ａに応じて配置されるものであって、電子基板２に予め形成されている貫通孔の一部（例えば、対角状に形成された貫通孔）に挿入される。
【００２２】
なお、これら突起体１５、１７の載置体１１からの突出高さは、特に規定されないが、コアシート６や電子基板２の厚みよりも小さくすることで、当該コアシート６や電子基板２を配置する際の作業性が向上される。
【００２３】
取手１９は、移動体３３の両側端部に上方に突出して設けられており、この取手１９がユーザによって操作されることにより移動体３３が下方に押し下げられる。
【００２４】
スライド機構部３５は、例えば、移動体３３の下端部に突出する突出体３６が台座３１側からバネ３７によって付勢されて支持されている。この移動体３３は、例えば、突起体１５、１７が載置体１１の表面から突出する第１の位置（図４参照）と、下方への押圧力により突起体１５、１７が載置体１１の表面と略平坦に配置される第２の位置（図５参照）と、に移動可能である。そして、移動体３３は、取手１９がユーザによって下方に押圧されることで、バネ３７の付勢力に抗して縮み載置体１１と離反する下方へと移動する。一方で、移動体３３は、ユーザによって取手１９への押圧力が取り除かれることで、バネ３７の反発力により上方へと移動し元の位置へと復帰する。
【００２５】
移動体３３が図４に示す第１の位置に配置されているときは、突起体１５、１７が載置体１１の表面から突出しているため、コアシート６及び電子基板２を容易に位置決め可能となっている。一方で、移動体３３が図５に示す第２の位置に配置されると、突起体１５、１７は載置体１１の表面と平坦状になるため、コアシート６及び電子基板２を容易に取り外せる。
【００２６】
このように構成された固定用治具１０によれば、突起体１５、１７により容易にコアシート６及び電子基板２を位置決めできるので、ユーザの負担を軽減することができるとともに、迅速にコアシート６及び電子基板２の配置作業を行うことができる。
【００２７】
（実施例）
次に上述した固定用治具１０を用いた電子基板の固定方法の実施例について図６及び図７を用いて説明する。
【００２８】
まず、図６（ａ）に示すように、固定用治具１０を用意した後、図６（ｂ）に示すように、ユーザにより、載置体１１の表面に有するコアシート配置領域２５にコアシート６が突起体１５によって位置決めされる。また、図６（ｃ）に示すように、コアシート６が位置決めされた後に電子基板２がコアシート６の開口部６ａに突起体１７によって位置決めされる。具体的には、コアシート６を突起体１５を用いて係止した後、電子基板２を突起体１７を用いて係止してコアシート６及び電子基板２が位置決めされる。
【００２９】
次に、ユーザによってコアシート６と電子基板２とを仮固定するためのテープ等の連結部材９が用意され、図６（ｄ）及び図７に示すように、ユーザは、当該電子基板２の両側を連結部材９でコアシート６に取り付け、電子基板２の仮固定処理を終了する。なお、当該コアシート６及び電子基板２は、他の製造ラインに移されて、当該コアシート６及び電子基板２の表裏面にオーバーシート７が接着剤などにより貼り付けられてＩＣカード５が製造される。
【００３０】
このように本実施形態の電子基板２の仮固定方法によれば、仮固定用治具１０を用いることで、簡単にコアシート６の開口部６に電子基板２を配置して、正確且つ迅速に仮固定することができる。
【００３１】
なお、本発明は上記実施の形態に限定されるものではなく、本発明の要旨の範囲内で種々変更可能である。例えば、突起体１７の位置は、予め形成されている電子基板２の孔によって設計されるものである。また、スライド機構部３５は、本実施形態はバネ３７の付勢力を利用するものであるが、移動体が規定された空間を往復運動できれば良いため、空圧若しくは油圧シリンダを用いて構成しても構わない。
【符号の説明】
【００３２】
２  電子基板
６  コアシート
６ａ  開口部
１０  仮固定用治具
１１  載置体
１１ａ  平面部
１５、１７  突起体
３０  基台
【図１】
2013208778.tif 000003
【図２】
2013208778.tif 000004
【図３】
2013208778.tif 000005
【図４】
2013208778.tif 000006
【図５】
2013208778.tif 000007
【図６】
2013208778.tif 000008
【図７】
2013208778.tif 000009